(57)【特許請求の範囲】
【請求項１】
可撓性を有する日よけシートを備える日よけ装置を所望の取付箇所に取り付けるための日よけ取付具において、互いに平行する状態で上記取付箇所に固定される第１の枠体及び第２の枠体と、上記日よけ装置を支持するためのブラケットを取り付けるためのものであり、一方の側部が第１の枠体に連結され、他方の側部が第２の枠体に連結されるブラケット取付部と、を具備することを特徴とする日よけ取付具。
【請求項２】
第１の枠体及び第２の枠体のそれぞれに対応して設けられ上記ブラケット取付部を案内するための第１の案内部及び第２の案内部と、それぞれが上記ブラケット取付部の２つの各側部に設けられ、それぞれがそれぞれと対応する第１の案内部及び第２の案内部に係合して第１の案内部及び第２の案内部から離れる方向の移動が係止されている状態で、第１の枠体及び第２の枠体の長さ方向に沿って摺動可能な第１の摺動部及び第２の摺動部と、を具備することを特徴とする請求項１に記載の日よけ取付具。
【請求項３】
第１の枠体及び第２の枠体を互いに連結するものであって上記取付箇所に固定される補強体と、第１の枠体及び第２の枠体のそれぞれに対応して設けられ上記補強体を案内するための第３の案内部及び第４の案内部と、それぞれが上記補強体の２つの各側部に設けられ、それぞれがそれぞれと対応する第３の案内部及び第４の案内部に係合して第３の案内部及び第４の案内部から離れる方向の移動が係止されている状態で、第１の枠体及び第２の枠体の長さ方向に沿って摺動可能な第３の摺動部及び第４の摺動部と、を具備することを特徴とする請求項１又は２に記載の日よけ取付具。
【請求項４】
第１の枠体及び第２の枠体のそれぞれに対応して設けられ上記ブラケット取付部を案内するための第１の案内部及び第２の案内部と、それぞれが上記ブラケット取付部の２つの各側部に設けられ、それぞれがそれぞれと対応する第１の案内部及び第２の案内部に係合して第１の案内部及び第２の案内部から離れる方向の移動が係止されている状態で、第１の枠体及び第２の枠体の長さ方向に沿って摺動可能な第１の摺動部及び第２の摺動部と、
第１の枠体及び第２の枠体を互いに連結するものであって上記取付箇所に固定される補強体と、第１の枠体及び第２の枠体のそれぞれに対応して設けられ上記補強体を案内するための第３の案内部及び第４の案内部と、それぞれが上記補強体の２つの各側部に設けられ、それぞれがそれぞれと対応する第３の案内部及び第４の案内部に係合して第３の案内部及び第４の案内部から離れる方向の移動が係止されている状態で、第１の枠体及び第２の枠体の長さ方向に沿って摺動可能な第３の摺動部及び第４の摺動部と、を具備し、
第１の枠体及び第２の枠体は、第１乃至第４の案内部の長さ方向に対して直角方向に切断したときのそれぞれの断面形状が矩形であり、
第１の案内部及び第２の案内部は、第１の枠体及び第２の枠体の上記日よけ装置が取り付けられる上記取付箇所と反対側に向かう側のそれぞれの第１の面に設けられている溝であり、
第３の案内部及び第４の案内部は、第１の枠体及び第２の枠体の互いに向かい合うそれぞれの第２の面に設けられている溝であることを特徴とする請求項１に記載の日よけ取付具。
【請求項５】
可撓性を有する日よけシートを備える日よけ装置を所望の取付箇所に取り付けるための日よけ取付具において、互いに平行する状態で上記取付箇所に固定される第１の枠体及び第２の枠体と、上記日よけ装置を構成する本体部材に設けられ上記本体部材を第１の枠体及び第２の枠体に取り付けるためのブラケットと、第１の枠体及び第２の枠体のそれぞれに対応して設けられ上記ブラケットを案内するための第１の案内部及び第２の案内部と、それぞれが上記ブラケットの２つの各側部に設けられ、それぞれがそれぞれと対応する第１の案内部及び第２の案内部に係合して第１の案内部及び第２の案内部から離れる方向の移動が係止されている状態で、第１の枠体及び第２の枠体の長さ方向に沿って摺動可能な第１の摺動部及び第２の摺動部と、を具備することを特徴とする日よけ取付具。
【請求項６】
第１の枠体及び第２の枠体が固定される上記取付箇所の取付面に対して垂直な上記取付箇所の近傍の側面に一方の側部が固定され、他方の側部が第１の枠体又は第２の枠体の端部と係合可能な係合部を有し、第１の枠体又は第２の枠体が上記取付面から離れる方向の移動を係止するための係止体と、を具備することを特徴とする請求項１乃至５のいずれか１つの請求項に記載の日よけ取付具。
【発明の詳細な説明】
【０００１】
【発明の属する技術分野】
この発明は、可撓性を有する日よけシートを備える日よけ装置を所望の取付箇所に取り付けるための日よけ取付具に関する。
【０００２】
【従来の技術】
日よけ装置として図２６（側面図）に示すものがある。この日よけ装置１は、図１の斜視図に示すように、布又はビニールシート製の日よけシート２が巻き付けられている巻き取りシャフト３を備えている。この巻き取りシャフト３の両端部は、軸受４により回動自在に支持されており、各軸受４は図２６に示す一対のエンドブラケット５に取り付けてある。この一対のエンドブラケット５は、角シャフト（本体部材）６に取り付けてあり、この角シャフト６は２つのブラケット７に取り付けてある。そして、この２つのブラケット７は、取付壁面８にアンカーボルト９、９により固定して取り付けてある。また、角シャフト６には、アーム１０を介してフロントバー１１を取り付けてあり、このフロントバー１１には日よけシート２の先端縁を結合させてある。
【０００３】
この日よけ装置１を使用しないときは、図２６に示すように、日よけシート２を巻き取りシャフト３に巻き付けた状態にしておく。この状態では、フロントバー１１が巻き取りシャフト３に接近しており、アーム１０が屈曲した状態となっており、これら日よけシート２、フロントバー１１、及びアーム１０を雨ケース１２の内側に収容することができる。
そして、日よけ装置１を使用するときは、クランクハンドル（図示せず）の先端部を、図２６に示すギヤの環状係合部１３に係合させて、この環状係合部１３を所定の方向に所望の回転数だけ回転させる。これにより、巻き取りシャフト３が図２６において時計方向に回転してフロントバー１１が巻き取りシャフト３から離れる方向に移動することとなり、日よけシート２を所望の長さに広げることができる。
【０００４】
この日よけ装置１は、日よけシート２を広げた状態では、強風により大きな力を受けることがあるので、図２６に示すように、ブラケット７とアンカーボルト９により、取付壁面８にしっかりと固定して取り付ける必要がある。
【０００５】
【発明が解決しようとする課題】
しかし、日よけ装置１を例えば取付壁面８の所望の箇所に取り付けようとするとき、この日よけ装置１を支持するためのブラケット７を取付壁面８の所定の適切な位置に取り付ける必要があるが、その適切な位置にブラケット７を取り付けることができない場合がある。このような場合は、日よけ装置１をその所望の箇所に取り付けることができないという問題がある。
つまり、図１に示すように、日よけ装置１を支持するためのブラケット７は、この日よけ装置１を支持するために適切な箇所、例えば日よけ装置１の両端の近傍を支持するように取付壁面８の所定の箇所に取り付ける必要がある。従って、日よけ装置１を取付壁面８の所望の箇所に取り付ける場合は、日よけ装置１を取付壁面８の所望の箇所に配置した状態で、ブラケット７と対応する箇所にブラケット７を取り付けることができる柱等の支持部材１４が取付壁面８に設けられている必要がある。よって、ブラケット７を取り付けるための柱等の支持部材１４が取付壁面８の所定の箇所に設けられていない場合は、日よけ装置１を所望の箇所に取り付けることができないという問題がある。
【０００６】
本発明は、日よけ装置を所望の取付箇所に強固に取り付けることができる日よけ取付具を提供することを目的とする。
【０００７】
【課題を解決するための手段】
第１の発明は、可撓性を有する日よけシートを備える日よけ装置を所望の取付箇所に取り付けるための日よけ取付具において、互いに平行する状態で上記取付箇所に固定される第１の枠体及び第２の枠体と、上記日よけ装置を支持するためのブラケットを取り付けるためのものであり、一方の側部が第１の枠体に連結され、他方の側部が第２の枠体に連結されるブラケット取付部と、を具備することを特徴とするものである。
【０００８】
第２の発明は、第１の発明において、第１の枠体及び第２の枠体のそれぞれに対応して設けられ上記ブラケット取付部を案内するための第１の案内部及び第２の案内部と、それぞれが上記ブラケット取付部の２つの各側部に設けられ、それぞれがそれぞれと対応する第１の案内部及び第２の案内部に係合して第１の案内部及び第２の案内部から離れる方向の移動が係止されている状態で、第１の枠体及び第２の枠体の長さ方向に沿って摺動可能な第１の摺動部及び第２の摺動部と、を具備することを特徴とするものである。
【０００９】
第３の発明は、第１又は第２の発明において、第１の枠体及び第２の枠体を互いに連結するものであって上記取付箇所に固定される補強体と、第１の枠体及び第２の枠体のそれぞれに対応して設けられ上記補強体を案内するための第３の案内部及び第４の案内部と、それぞれが上記補強体の２つの各側部に設けられ、それぞれがそれぞれと対応する第３の案内部及び第４の案内部に係合して第３の案内部及び第４の案内部から離れる方向の移動が係止されている状態で、第１の枠体及び第２の枠体の長さ方向に沿って摺動可能な第３の摺動部及び第４の摺動部と、を具備することを特徴とするものである。
【００１０】
第４の発明は、第１の発明において、第１の枠体及び第２の枠体のそれぞれに対応して設けられ上記ブラケット取付部を案内するための第１の案内部及び第２の案内部と、それぞれが上記ブラケット取付部の２つの各側部に設けられ、それぞれがそれぞれと対応する第１の案内部及び第２の案内部に係合して第１の案内部及び第２の案内部から離れる方向の移動が係止されている状態で、第１の枠体及び第２の枠体の長さ方向に沿って摺動可能な第１の摺動部及び第２の摺動部と、
第１の枠体及び第２の枠体を互いに連結するものであって上記取付箇所に固定される補強体と、第１の枠体及び第２の枠体のそれぞれに対応して設けられ上記補強体を案内するための第３の案内部及び第４の案内部と、それぞれが上記補強体の２つの各側部に設けられ、それぞれがそれぞれと対応する第３の案内部及び第４の案内部に係合して第３の案内部及び第４の案内部から離れる方向の移動が係止されている状態で、第１の枠体及び第２の枠体の長さ方向に沿って摺動可能な第３の摺動部及び第４の摺動部と、を具備し、
第１の枠体及び第２の枠体は、第１乃至第４の案内部の長さ方向に対して直角方向に切断したときのそれぞれの断面形状が矩形であり、
第１の案内部及び第２の案内部は、第１の枠体及び第２の枠体の上記日よけ装置が取り付けられる上記取付箇所と反対側に向かう側のそれぞれの第１の面に設けられている溝であり、
第３の案内部及び第４の案内部は、第１の枠体及び第２の枠体の互いに向かい合うそれぞれの第２の面に設けられている溝であることを特徴とするものである。
【００１１】
第５の発明は、可撓性を有する日よけシートを備える日よけ装置を所望の取付箇所に取り付けるための日よけ取付具において、互いに平行する状態で上記取付箇所に固定される第１の枠体及び第２の枠体と、上記日よけ装置を構成する本体部材に設けられ上記本体部材を第１の枠体及び第２の枠体に取り付けるためのブラケットと、第１の枠体及び第２の枠体のそれぞれに対応して設けられ上記ブラケットを案内するための第１の案内部及び第２の案内部と、それぞれが上記ブラケットの２つの各側部に設けられ、それぞれがそれぞれと対応する第１の案内部及び第２の案内部に係合して第１の案内部及び第２の案内部から離れる方向の移動が係止されている状態で、第１の枠体及び第２の枠体の長さ方向に沿って摺動可能な第１の摺動部及び第２の摺動部と、を具備することを特徴とするものである。
【００１２】
第６の発明は、第１乃至５のいずれか１つの発明において、第１の枠体及び第２の枠体が固定される上記取付箇所の取付面に対して垂直な上記取付箇所の近傍の側面に一方の側部が固定され、他方の側部が第１の枠体又は第２の枠体の端部と係合可能な係合部を有し、第１の枠体又は第２の枠体が上記取付面から離れる方向の移動を係止するための係止体と、を具備することを特徴とするものである。
【００１３】
第１の発明に係る日よけ取付具を使用して日よけ装置を取り付けるときは、例えば、まず、ブラケットをブラケット取付部に取り付ける。そして、日よけ装置を所定の取付箇所に取り付けるために適切とされるブラケットの取付位置に、ブラケット取付部に取り付けられているブラケットを位置させるように、ブラケット取付部を互いに平行する第１及び第２の枠体に取り付ける。ここで、第１及び第２の枠体は、互いに平行して配置されているので、第１及び第２の枠体の伸延方向に沿ってブラケット取付部の取付位置を変更することができ、これにより、ブラケット取付部を適切な位置に取り付けることができる。次に、日よけ装置を取り付けようとする壁又は天井等の所望の取付箇所に第１及び第２の枠体を互いに平行させた状態で固定して取り付ける。しかる後に、日よけ装置をブラケットに取り付けることにより、日よけ装置を壁等の所望の取付箇所に取り付けることができる。
【００１４】
第２の発明によると、第１及び第２の枠体に設けられている第１及び第２の案内部は、これら各第１及び第２の案内部に係合している第１及び第２の摺動部が第１及び第２の案内部から離れる方向の移動を係止することができ、第１及び第２の摺動部を第１及び第２の枠体の長さ方向に沿って摺動自在に案内することができる。
【００１５】
第３の発明によると、第１及び第２の枠体に設けられている第３及び第４の案内部は、これら各第３及び第４の案内部に係合している第３及び第４の摺動部が第３及び第４の案内部から離れる方向の移動を係止することができ、第３及び第４の摺動部を第１及び第２の枠体の長さ方向に沿って摺動自在に案内することができる。
【００１６】
第４の発明の各構成要素は、第２及び第３の発明の対応する各構成要素と同等に作用するので、同等部分の詳細な説明を省略する。そして、第１及び第２の各枠体は、長さ方向に対して直角方向に切断したときの断面形状が略矩形であり、例えば各々の正面（第１の面）に溝を形成して第１の案内部及び第２の案内部を形成することができる。また、例えば第１の枠体の下面（第２の面）、及び第２の枠体の上面（第２の面）にそれぞれ溝を形成して第３の案内部及び第４の案内部を形成することができる。
【００１７】
第５の発明によると、ブラケットに第１及び第２の摺動部を設けてあり、この第１及び第２の摺動部を第１及び第２の枠体に設けられている第１及び第２の案内部に係合させることができる。そして、第１及び第２の案内部は、それらに係合している第１及び第２の摺動部が第１及び第２の案内部から離れる方向の移動を係止することができ、第１及び第２の摺動部を第１及び第２の枠体の長さ方向に沿って摺動自在に案内することができる。
【００１８】
第６の発明によると、第１及び第２の枠体を固定しようとする取付箇所の取付面に対して略垂直な側面に係止体の一方の側部を固定して取り付け、この係止体の他方の側部の係合部を第１の枠体又は第２の枠体の端部に係合させることにより、第１の枠体又は第２の枠体が取付面から離れる方向の移動を係止することができる。
【００１９】
【発明の実施の形態】
本発明に係る日よけ取付具の第１実施形態を図１乃至図７を参照して説明する。この第１実施形態に係る日よけ取付具１５は、図１に示すように、日よけ装置１を鉛直面として形成されている取付壁面８の所望の箇所に取り付けることができるようにするためのものである。この実施形態では、取付壁面８の横幅が日よけ装置１の長さと略同じ長さとなっている。そして、この取付壁面８の左側縁が左側壁面１６と直角に交差しており、この取付壁面８と左側壁面１６とにより外側に突出する外角部１７が形成されている。また、取付壁面８の右側縁が右側壁面１８と直角に交差しており、この取付壁面８と右側壁面１８とにより内側に窪んでいる内角部１９が形成されている。
日よけ装置１は、図１及び図２に示すように、従来の技術で説明したものと同等のものであり、２つのブラケット７により角シャフト（本体部材）６の両方の各端部の近傍を支持することにより、この日よけ装置１を所望の箇所に取り付けることができる構成のものであり、詳細な説明を省略する。
【００２０】
図３（ａ）は、図１及び図２に示す日よけ取付具１５の部分正面図である。図３（ｂ）は、日よけ取付具１５の左側面図である。この日よけ取付具１５は、第１の枠体２０及び第２の枠体２１と、ブラケット取付部２２と、補強体２３と、連結体２４と、第１の係止体２５及び第２の係止体２６と、を備えており、これら各部材は例えば鉄、又はステンレス等の金属製である。
第１の枠体２０及び第２の枠体２１は、図３に示すように、断面形状がＬ字形であり、互いに等しい長さに形成した直線状部材である。これら第１及び第２の枠体２０、２１は、所定の間隔を隔てて互いに平行する状態で配置してあり、取付壁面８に当接する側の各板状部材２０ｂ、２１ｂには、多数の取付孔２７、・・・を所定のピッチで設けてある。このように、第１及び第２の枠体２０、２１には、多数の取付孔２７を所定のピッチで設けてあるので、取付壁面８の柱又は桟等の支持部材１４が配置されている箇所に対応する取付孔２７に例えばアンカーボルト２９、・・・を通してこれら第１及び第２の枠体２０、２１を支持部材１４に固定して取り付けることができる。
ブラケット取付部２２は、図２及び図３に示すように、縦長の矩形の板状体であり、日よけ装置１を支持するためのブラケット７を取り付けるためのものである。このブラケット取付部２２は、取付壁面８と平行する状態で上側部が第１の枠体２０に例えば溶接されて連結し、下側部が第２の枠体２１に例えば溶接されて連結している。そして、このブラケット取付部２２が第１及び第２の枠体２０、２１に溶接される位置は、図１に示す日よけ装置１に配置されている１対のブラケット７、７と対応する位置である。これら一対の各ブラケット取付部２２には、３つの取付孔を設けてあり、これら取付孔にボルト２８を通してブラケット７をブラケット取付部２２に締め付けて取り付けることができる。
【００２１】
複数の各補強体２３は、図３（ａ）に示すように、断面形状がＬ字形の直線状部材であり、第１の枠体２０及び第２の枠体２１を互いに連結して第１及び第２の枠体２０、２１の取付壁面８に対する取付強度を補強するためのものである。各補強体２３は、取付壁面８と平行する状態で上側部が第１の枠体２０に例えば溶接されて連結し、下側部が第２の枠体２１に例えば溶接されて連結している。そして、各補強体２３が第１及び第２の枠体２０、２１に溶接されている位置は、図３に示すように、複数の各支持部材１４が設けられている位置である。そして、各補強体２３の取付壁面８に当接する側の各板状部材には、複数の取付孔を設けてある。このように、各補強体２３に複数の取付孔を設けてあるので、各取付孔に例えばアンカーボルト３０、・・・を通してこれら各補強体２３を支持部材１４に強固に固定して取り付けることができる。これにより、各補強体２３と結合する第１及び第２の枠体２０、２１の取付壁面８に対する取付強度の向上を図ることができる。
【００２２】
ただし、図３（ａ）に示すように、第１及び第２の枠体２０、２１の両方の各端部には連結体２４を設けてある。各連結体２４は、補強体２３と同等の形状であり、補強体２３と同様に第１と第２の枠体２０、２１を互いに結合しており、アンカーボルト３１、・・・により取付壁面８の支持部材１４に締め付けて固定してある。これにより、各補強体２３と同様に、第１及び第２の枠体２０、２１の取付壁面８に対する取付強度の向上を図ることができる。
また、図１に示すように、左側の連結体２４には、第１の係止体２５が係合しており、右側の連結体２４には第２の係止体２６が係合している。
【００２３】
第１の係止体２５を図４及び図５を参照して説明する。図４は、第１の係止体２５の平面図、図５は第１の係止体２５の正面図である。第１の係止体２５は、図４及び図５に示すように、細長い矩形の板状体の先端部をＵ字状に屈曲してこの屈曲部を第１の係合部３２として形成したものである。この第１の係止体２５は、基端部を左側壁面１６にアンカーボルト３３、・・・により締め付け固定してあり、先端の第１の係合部３２を左側の連結体２４の取付壁面８に垂直な板状部材２４ａの縁部に係合させてある。この第１の係止体２５によると、外角部１７を形成する左側壁面１６に取り付けることができ、第１及び第２の枠体２０、２１の左側端部が取付壁面８から離れる方向の移動を係止することができる。これにより、各補強体２３と同様に、第１及び第２の枠体２０、２１の取付壁面８に対する取付強度の向上を図ることができる。なお、この実施形態では、２つの第１の係止体２５を左側壁面１６に取り付けて左側の連結体２４に係合させてある。
【００２４】
第２の係止体２６を図６及び図７を参照して説明する。図６は、第２の係止体２６の平面図、図７は第２の係止体２６の正面図である。第２の係止体２６は、図６及び図７に示すように、細長い矩形の板状体であり、基端部を右側壁面１８にアンカーボルト３４、・・・により締め付け固定した状態で、先端部が右側壁面１８から連結体２４の板状部材２４ａの厚み分だけ間隔を隔ててその右側壁面１８と平行するように屈曲して第２の係合部３５として形成してある。この第２の係止体２６は、先端の第２の係合部３５と右側壁面１８とにより形成されている隙間に、右側の連結体２４の取付壁面８に垂直な板状部材２４ａの縁部を挿入してある。この第２の係止体２６によると、内角部１９を形成する右側壁面１８に取り付けることができ、第１及び第２の枠体２０、２１の右側端部が取付壁面８から離れる方向の移動を係止することができる。これにより、各補強体２３と同様に、第１及び第２の枠体２０、２１の取付壁面８に対する取付強度の向上を図ることができる。
【００２５】
上記のように構成された日よけ取付具１５によると、日よけ装置１を例えば図１に示すように、取付壁面８の所望の取付箇所に取り付けようとするとき、日よけ装置１を支持するためのブラケット７を取り付けるための、柱、又は桟等の支持部材１４がそのブラケット７と対応する位置に設けられていない場合でも、この日よけ取付具１５を使用することにより、日よけ装置１を所望の取付箇所に強固に取り付けることができる。
つまり、日よけ取付具１５を介して日よけ装置１を所望の取付箇所に取り付けるときは、まず、ブラケット取付部２２にブラケット７をボルト２８、・・・により締め付けて取り付ける。次に、日よけ装置１を支持するためのブラケット７の適切な取付位置に合わせてブラケット取付部２２を第１及び第２の枠体２０、２１のその取付位置に対応する箇所に溶接して取り付ける。同様にして、補強体２３及び連結体２４を支持部材１４と対応する位置に、第１及び第２の枠体２０、２１に溶接する。そして、この日よけ取付具１５の第１及び第２の枠体２０、２１、並びに補強体２３及び連結体２４を取付壁面８に設けられている支持部材１４にアンカーボルト２９、３０、３１により固定して取り付ける。次に、第１及び第２の各係止体２５、２６をそれぞれと対応する各連結体２４に係合させて、この状態で左側及び右側の各壁面１６、１８に取り付ける。そして、ブラケット取付部２２に取り付けられているブラケット７に日よけ装置１をボルト３６により締め付けて取り付けることにより、日よけ装置１を図１に示す所望の取付箇所に取り付けることができる。なお、ブラケット７は、日よけ装置１を確実に支持するための適切な位置にこの日よけ装置１に取り付けることができる。
【００２６】
そして、第１及び第２の枠体２０、２１を固定しようとする取付箇所に設けられている柱等の支持部材１４の取付面が比較的狭いために、第１及び第２の枠体２０、２１を取付壁面８に強固に取り付けることができない場合に、取付壁面８に対して略垂直な左側及び右側の各壁面１６、１８に設けた第１及び第２の係止体２５、２６を左側及び右側の各連結体２４に係合させることにより、第１及び第２の枠体２０、２１が取付壁面８から離れる方向の移動を係止することができる。これにより、第１及び第２の枠体２０、２１の取付壁面８に対する取り付け強度の増強を図ることができる。
【００２７】
次に、第２実施形態に係る日よけ取付具３７を図１０乃至図１５を参照して説明する。この第２実施形態に係る日よけ取付具３７は、第１実施形態と同様に、図１に示すように、日よけ装置１を鉛直面として形成されている取付壁面８の所望の箇所に取り付けることができるようにするためのものである。
日よけ装置１は、図１及び図２に示すものと同等のもの、即ち、従来の技術で説明したものと同等のものであり、詳細な説明を省略する。
【００２８】
図１０は、第２実施形態に係る日よけ取付具３７の部分正面図である。図１１は、日よけ取付具３７の左側面図である。この日よけ取付具３７は、第１の枠体３８及び第２の枠体３９と、ブラケット取付部４０と、補強体４１と、第１の係止体４２（４２ａ、４２ｂ）及び第２の係止体４３（４３ａ、４３ｂ）と、を備えており、これら各部材は例えば鉄、又はステンレス等の金属製である。
第１の枠体３８及び第２の枠体３９は、図１１に示すように、断面形状が略Ｌ字形であり、互いに等しい長さに形成した直線状部材である。これら第１及び第２の枠体３８、３９は、所定の間隔を隔てて互いに平行する状態で配置してあり、取付壁面８に当接する側の各板状部材３８ａ、３９ａには、多数の取付孔２７を所定のピッチで設けてある。このように、第１及び第２の枠体３８、３９には、多数の取付孔２７を所定のピッチで設けてあるので、第１実施形態と同様に、取付壁面８の柱又は桟等の支持部材１４が配置されている箇所に対応する取付孔２７に例えばアンカーボルト２９、・・・を通してこれら第１及び第２の枠体３８、３９を支持部材１４に固定して取り付けることができる。
【００２９】
ブラケット取付部４０は、図１０、図１１、及び図１２（ａ）に示すように、縦長の矩形の略板状体であり、日よけ装置１を支持するためのブラケット７を取り付けるためのものである。このブラケット取付部４０は、取付壁面８と平行する状態で上側部に設けられている第１の摺動部４４を第１の枠体３８に設けられている第１の案内部４５に係合させることができ、下側部に設けられている第２の摺動部４６が第２の枠体３９に設けられている第２の案内部４７に係合させることができる。そして、このブラケット取付部４０が第１及び第２の枠体３８、３９に係合した状態で固定される位置は、第１実施形態と同様に、図１に示す日よけ装置１に配置されている１対のブラケット７と対応する位置である。これら一対の各ブラケット取付部４０には、３つの取付孔４８を設けてあり、これら取付孔４８にボルト２８を通してブラケット７を締め付けて取り付けることができる。
【００３０】
第１の案内部４５は、図１１に示すように、第１の枠体３８の取付壁面８に直交する側の板状部材３８ａの下面に、この板状部材３８ａの長さの方向に沿って形成されており、断面形状がＴ字形の溝である。つまり、溝の開口部が奥側部４５ａよりも狭くなっている。
第１の摺動部４４は、図１１に示すように、ブラケット取付部４０の上縁に沿って形成されており、断面形状が略Ｙ字形であり、先端側の膨大部が第１の案内部４５の奥側部４５ａに収容された状態で係合している。第１の摺動部４４は、第１の案内部４５に係合して第１の案内部４５から離れる方向の移動が係止されており、この状態で第１の案内部４５に沿って摺動自在である。
第２の案内部４７は、図１１に示すように、第２の枠体３９の取付壁面８に直交する側の板状部材３９ａの上面に、この板状部材３９ａの長さの方向に沿って形成されており、第１の案内部４５と上下方向に対称な構成であり、詳細な説明を省略する。
第２の摺動部４６は、図１１に示すように、ブラケット取付部４０の下縁に沿って形成されており、第２の摺動部４６と上下方向に対称な構成であり、詳細な説明を省略する。
上記のように構成されたブラケット取付部４０は、第１及び第２の各摺動部４４、４６をそれぞれと対応する第１及び第２の各案内部４５、４７に係合させることにより、第１及び第２の案内部４５、４７に沿って摺動させて移動させることができる。そして、一対の各ブラケット取付部４０、４０を所望の位置に位置決めしたときは、このブラケット取付部４０の上側部及び下側部に設けられている各ねじ孔にボルト４９、・・・を螺合させて締め付けることにより、このブラケット取付部４０を第１及び第２の枠体３８、３９の所望の箇所に固定することができる。
【００３１】
複数の各補強体４１は、図１０、図１１、及び図１２（ｂ）に示すように、断面が略矩形の直線状部材であり、第１と第２の枠体３８、３９を互いに連結して第１及び第２の枠体３８、３９の取付壁面８に対する取付強度を補強するためのものである。各補強体４１は、取付壁面８と平行する状態で上側部に設けられている第３の摺動部５０が第１の枠体３８に設けられている第３の案内部５１に係合し、下側部に設けられている第４の摺動部５２が第２の枠体３９に設けられている第４の案内部５３に係合している。そして、各補強体４１が第１及び第２の枠体３８、３９に固定される位置は、図３に示す第１実施形態と同様に、複数の各支持部材１４が設けられている位置である。そして、各補強体４１には、３つの取付孔を設けてある。このように、各補強体４１に複数の取付孔を設けてあるので、各取付孔に例えばアンカーボルト３１を通してこれら各補強体４１を支持部材１４に強固に固定して取り付けることができる。これにより、各補強体４１と結合する第１及び第２の枠体３８、３９の取付壁面８に対する取付強度の向上を図ることができる。
【００３２】
第３の案内部５１は、図１１に示すように、第１の枠体３８の取付壁面８に接する側の板状部材３８ｂの右側面に、この板状部材３８ｂの長さの方向に沿って形成されており、断面形状がＴ字形の溝であり、第１の案内部４５と同等の形状である。
第３の摺動部５０は、図１１に示すように、補強体４１の上縁に沿って形成されており、断面形状が略Ｙ字形であり、第１の摺動部４４と同等の形状である。第３の摺動部５０は、先端側の膨大部が第３の案内部５１の奥側部５１ａに収容された状態で係合して第３の案内部５１から離れる方向の移動が係止されており、この状態で第３の案内部５１に沿って摺動自在である。
第４の案内部５３は、図１１に示すように、第２の枠体３９の取付壁面８に接する側の板状部材３９ａの右側面に、この板状部材３９ａの長さの方向に沿って形成されており、第３の案内部５１と上下方向に対称な構成であり、詳細な説明を省略する。
第４の摺動部５２は、図１１に示すように、補強体４１の下縁に沿って形成されており、第３の摺動部５０と上下方向に対称な構成であり、詳細な説明を省略する。
上記のように構成された補強体４１は、第３及び第４の各摺動部５０、５２をそれぞれと対応する第３及び第４の各案内部５１、５３に係合させることにより、第３及び第４の案内部５１、５３に沿って摺動させて移動させることができる。そして、各補強体４１を、柱等の支持部材１４が配置されている位置に位置決めした後に、アンカーボルト３１、・・・を取付孔に通してこれら各補強体４１を支持部材１４に強固に固定して取り付けることができる。
【００３３】
また、図１０には示していないが、図１３及び図１４に示すように、第１及び第２の枠体３８、３９の左側端部には、一対の第１の係止体４２（４２ａ、４２ｂ）が係合しており、図１５に示すように、第１及び第２の枠体３８、３９の右側端部には、一対の第２の係止体４３（４３ａ、４３ｂ）が係合している。第２の係止体４３ｂは図示せず。
まず、上側の一方の第１の係止体４２ａを図１３及び図１４を参照して説明する。図１３（ａ）は、第１の枠体３８の左側端部に係合する第１の係止体４２ａの背面図、図１３（ｂ）は、第１の係止体４２ａの平面図、図１３（ｃ）は、第１の係止体４２ａを第１の枠体３８に係合させた状態を示す平面図である。第１の係止体４２ａは、図１３及び図１４に示すように、細長い矩形の板状部５４を備えており、この板状部５４の先端部に第１の係合部５５ａが設けられている。第１の係合部５５ａは、図１３及び図１１に示すように、四角柱の本体部５６と、この本体部５６の所定の側面に設けられており、第１の案内部４５の左側端部の開口部と相補の形状の第１の凸部５７と、本体部５６の所定の他の側面に設けられており、第３の案内部５１の左側端部の開口部と相補の形状の第３の凸部５８と、から成っている。この第１の係止体４２ａは、基端部を左側壁面１６にアンカーボルト５９、・・・により締め付け固定してあり、先端の第１の係合部５５ａを第１の枠体３８に設けられている第１及び第３の案内部４５、５１のそれぞれの左側端部の開口部に嵌合させてある。
【００３４】
他方の第１の係止体４２ｂは、図１４に示すように、第２の枠体３９の左側端部に係合させるものである。この第１の係止体４２ｂは、第１実施形態と同様に左側壁面１６に取り付けた状態で、第１の係止体４２ａと上下方向に対称な形状である。第１の係止体４２ｂの第１の係合部５５ｂは、第１の係合部５５ａと上下対称の形状であり、四角柱の本体部５６と、この本体部５６の所定の側面に設けられており、第２の案内部４７の左側端部の開口部と相補の形状の第２の凸部６０と、本体部５６の所定の他の側面に設けられており、第４の案内部５３の左側端部の開口部と相補の形状の第４の凸部６１と、から成っている。この第１の係止体４２ｂは、基端部を左側壁面１６にアンカーボルト５９により締め付け固定してあり、先端の第１の係合部５５ｂを第２の枠体３９に設けられている第２及び第４の案内部４７、５３のそれぞれの左側端部の開口部に嵌合させてある。
この一対の第１の係止体４２（４２ａ、４２ｂ）によると、第１実施形態と同様に、外角部１７を形成する左側壁面１６に取り付けることができ、第１及び第２の枠体３８、３９の左側端部が取付壁面８から離れる方向の移動を係止することができる。これにより、各補強体４１と同様に、第１及び第２の枠体３８、３９の取付壁面８に対する取付強度の向上を図ることができる。
【００３５】
次に、一対の第２の係止体４３ａ、４３ｂを図１５を参照して説明する。図１５（ａ）は、第２の係止体４３ａを第１の枠体３８の右側端部に係合させた状態を示す平面図、図１５（ｂ）は、第２の係止体４３ａの平面図、図１５（ｃ）は、第２の係止体４３ａの背面図である。第２の係止体４３ａは、図１５に示すように、細長い矩形の板状部５４を備えており、この板状部５４の先端部に第２の係合部６２ａが設けられている。第２の係合部６２ａは、四角柱の本体部５６と、この本体部５６の所定の側面に設けられており、第１の案内部４５の右側端部の開口部と相補の形状の第１の凸部５７と、本体部の所定の他の側面に設けられており、第３の案内部５１の右側端部の開口部と相補の形状の第３の凸部５８と、から成っている。この第２の係止体４３ａは、基端部を右側壁面１８にアンカーボルト５９、・・・により締め付け固定してあり、先端の第２の係合部６２ａを第１の枠体３８に設けられている第１及び第３の案内部４５、５１のそれぞれの右側端部の開口部に嵌合させてある。
【００３６】
他方の第２の係止体４３ｂは、図には示さないが、第２の枠体３９の右側端部に係合させるものである。この第２の係止体４３ｂは、第１実施形態と同様に右側壁面１８に取り付けた状態で、第２の係止体４３ａと上下方向に対称な形状である。第２の係止体４３ｂの第２の係合部６２ｂは、第２の係合部６２ａと上下対称な形状であり、四角柱の本体部５６と、この本体部５６の所定の側面に設けられており、第２の案内部４７の右側端部の開口部と相補の形状の第２の凸部６０と、本体部５６の所定の他の側面に設けられており、第４の案内部５３の右側端部の開口部と相補の形状の第４の凸部６１と、から成っている。この他方の第２の係止体４３ｂは、第２の係止体４３ａと同様に、基端部を右側壁面１８にアンカーボルト５９により締め付け固定してあり、先端の第２の係合部６２ｂを第２の枠体３９に設けられている第２及び第４の案内部４７、５３のそれぞれの右側端部の開口部に嵌合させてある。
この一対の第２の係止体４３（４３ａ、４３ｂ）によると、第１実施形態と同様に、内角部１９を形成する右側壁面１８に取り付けることができ、第１及び第２の枠体３８、３９の右側端部が取付壁面８から離れる方向の移動を係止することができる。これにより、各補強体４１と同様に、第１及び第２の枠体３８、３９の取付壁面８に対する取付強度の向上を図ることができる。
【００３７】
上記のように構成された日よけ取付具３７によると、第１実施形態と同様に、日よけ装置１を例えば図１に示すように、取付壁面８の所望の取付箇所に取り付けようとするとき、取付壁面８に設けられている柱、又は桟等の支持部材１４がブラケット７と対応する位置に設けられていない場合でも、この日よけ取付具３７を使用することにより、日よけ装置１を所望の取付箇所に取り付けることができる。
つまり、日よけ取付具３７を介して日よけ装置１を所望の取付箇所に取り付けるときは、まず、ブラケット取付部４０にブラケット７をボルト２８により締め付けて取り付ける。次に、日よけ装置１を支持するためのブラケット７の適切な取付位置に合わせてブラケット取付部４０を第１及び第２の枠体３８、３９に設けられている第１及び第２の案内部４５、４７に沿わせて移動させ、取付位置に対応する所定の箇所に位置決めしてボルト４９を締め付けて固定する。同様にして、補強体４１を第１及び第２の枠体３８、３９に設けられている第３及び第４の案内部５１、５３に沿わせて移動させ、取付位置に対応する所定の箇所に位置決めする。そして、この日よけ取付具３７の第１及び第２の枠体３８、３９、並びに補強体４１を取付壁面８に設けられている支持部材１４にアンカーボルト２９、３１により固定して取り付ける。次に、第１及び第２の各係止体４２、４３をそれぞれと対応する第１及び第２の枠体３８、３９の各端部に係合させて、この状態で左側及び右側の各壁面１６、１８に取り付ける。なお、第２の係止体４３は、必要であれば、第１及び第２の枠体３８、３９の右側端部に予め係合させた状態で第１及び第２の枠体３８、３９を取付壁面８に取り付ける。
そして、ブラケット取付部４０に取り付けられているブラケット７に日よけ装置１をボルト３６により締め付けて取り付けることにより、第１実施形態と同様に、日よけ装置１を図１に示す所望の取付箇所に取り付けることができる。
【００３８】
そして、ブラケット取付部４０に設けられている第１及び第２の摺動部４６は、それぞれと対応する第１及び第２の案内部４５、４７に係合させることにより、各案内部４５、４７から離れる方向（第１及び第２の各案内部４５、４７の長さ方向に対して直交する方向）の移動が係止されるので、ブラケット取付部４０を第１及び第２の枠体３８、３９に取り付けるための溶接等の作業が不要である。そして、第１及び第２の摺動部４６は、第１及び第２の枠体３８、３９の長さ方向に沿って摺動自在であるので、日よけ装置１を支持するためのブラケット７の適切な取付位置に合わせてブラケット取付部４０を第１及び第２の枠体３８、３９のその取付位置に移動させて簡単に位置決めしてボルトにより固定することができる。従って、この日よけ取付具３７を、日よけ装置１を取り付けようとする現場で比較的容易に組み立てることができ、これにより、日よけ装置１を比較的容易に取り付けることができる。
【００３９】
また、補強体４１に設けられている第３及び第４の摺動部５０、５２は、それぞれと対応する第３及び第４の案内部５１、５３に係合させることにより、各案内部５１、５３から離れる方向（第３及び第４の各案内部５１、５３の長さ方向に対して直交する方向）の移動が係止されるので、補強体４１を第１及び第２の枠体３８、３９に取り付けるための溶接等の作業が不要である。そして、第３及び第４の摺動部５０、５２は、第１及び第２の枠体３８、３９の長さ方向に沿って摺動自在であるので、この補強体４１を固定するための壁等に設けられている柱、又は桟等の支持部材１４の位置に合わせて補強体４１を第１及び第２の枠体３８、３９に沿って移動させて簡単に位置決めすることができる。従って、この点でもこの日よけ取付具３７を、日よけ装置１を取り付けようとする現場で比較的容易に組み立てることができる。
【００４０】
そして、第１及び第２の係止体４２、４３によると、第１実施形態と同様に、第１の枠体３８又は第２の枠体３９の取付壁面８に対する取り付け強度の増強を図ることができる。そして、第１及び第２の各係合部５５ａ、５５ｂ、６２ａ、６２ｂを、それぞれと対応する第１乃至第４の各案内部４５、４７、５１、５３の端部に形成されている各開口部に嵌合させることにより、第１及び第２の枠体３８、３９の各端部に簡単に連結させることができるので、この日よけ取付具３７を、日よけ装置１を取り付けようとする現場で比較的容易に組み立てることができる。
【００４１】
次に、第３の実施形態に係る日よけ取付具６３を図１６乃至図２０を参照して説明する。第３実施形態の日よけ取付具６３と第２実施形態の日よけ取付具３７との相違する主な点は、第３実施形態の第１及び第２の枠体６４、６５の断面形状である。
つまり、第２実施形態では、図１１に示すように、第１の枠体３８の断面形状が略Ｌ字形であって、取付壁面８に直交する側の板状部材３８ａの下面に第１の案内部４５を設け、取付壁面８に接する側の板状部材３８ｂの右側面に第３の案内部５１を設けてある。そして、ブラケット取付部４０の上縁に設けられている第１の摺動部４４は、板状部材３８ａの下面に設けられている第１の案内部４５に向かう方向に設けてある。そして、補強体４１の上縁に設けられている第３の摺動部５０は、板状部材３８ａの右側面に設けられている第３の案内部５１に向かう方向に設けてある。
なお、第２の枠体３９、第２の案内部４７、第４の案内部５３、第２の摺動部４６、及び第４の摺動部５２の形状は、図１１に示すように、第１の枠体６４、第１の案内部４５、第３の案内部５１、第１の摺動部４４、及び第３の摺動部５０と上下方向に対称であり、それらの説明を省略する。
【００４２】
これに対して、第３実施形態では、図１７に示すように、第１の枠体６４及び第２の枠体６５は、それぞれの長さ方向に対して直角方向に切断したときのそれぞれの断面形状が略矩形である。そして、第１の案内部４５及び第２の案内部４７は、第１の枠体６４及び第２の枠体６５の日よけ装置１が取り付けられる取付壁面８と反対側に向かう側のそれぞれの第１の面（第１の面６６、６７は、取付壁面８と平行する。）６６、６７に、第１及び第２の各枠体６４、６５の長さ方向に沿って設けられている溝（第２実施形態と同等の断面形状の溝）である。また、第３の案内部５１及び第４の案内部５３は、第１の枠体６４及び第２の枠体６５の互いに向かい合うそれぞれの第２の面６８、６９に、各枠体６４、６５の長さ方向に沿って設けられている溝（第２実施形態と同等の断面形状の溝）である。
第２と第３の実施形態に係る日よけ取付具の上記以外の構成は同等であり、同等部分を同一の図面符号で示し、詳細な説明を省略する。なお、図１６は、第３実施形態の日よけ取付具６３の正面図であり、第２実施形態の日よけ取付具３７の正面図を示す図１０と対応している。図１７は、第３実施形態の日よけ取付具６３の側面図であり、第２実施形態の日よけ取付具３７の側面図を示す図１１と対応している。図１８は、第３実施形態のブラケット取付部７０及び補強体７１の正面図であり、第２実施形態のブラケット取付部４０及び補強体４１の正面図を示す図１２と対応している。図１９は、第３実施形態の第１の係止体７２ａを示す図であり、第２実施形態の第１の係止体４２ａを示す図１３と対応している。図２０は、第３実施形態の第２の係止体７３ａを示す図であり、第２実施形態の第２の係止体４３ａを示す図１５と対応している。
【００４３】
上記のように構成された第３実施形態に係る日よけ取付具６３によると、第２実施形態に係る日よけ取付具３７と同様に作用して、日よけ装置１を取付壁面８の所望の箇所に取り付けることができるので、それらの詳細な説明を省略する。そして、断面形状が略矩形の第１の枠体６４の正面（第１の面６６）と下面（第２の面６８）に第１と第３の案内部４５、５１を設け、第２の枠体６５の正面（第１の面６７）と上面（第２の面６９）に第２と第４の案内部４７、５３を設けているので、第１及び第２の各枠体６４、６５の構造が簡単であり、ブラケット取付部７０及び補強体７１との比較的高い連結強度を得ることができる。つまり、第１及び第２の各枠体６４、６５には、第１乃至第４の案内部４５、４７、５１、５３を形成するための溝を設ければよく、第２実施形態のように、ブラケット取付部７０又は補強体７１の第１乃至第４の摺動部４４、４６、５０、５２以外の部分を通過させるためのＬ字状の湾曲部又は溝を形成する必要がないから、簡単な構造、及び比較的高い剛性を得ることができる。
【００４４】
次に、第４実施形態に係る日よけ取付具７４を図２１乃至図２５を参照して説明する。第４実施形態の日よけ取付具７４と第３実施形態の日よけ取付具６３との相違するところは、第３実施形態では、図１７に示すように、ブラケット７をブラケット取付部７０を介して第１及び第２の枠体６４、６５に取り付ける構成であるのに対して、第４実施形態では、図２２に示すように、ブラケット取付部７０を省略し、ブラケット７５を直接に第１及び第２の枠体６４、６５に取り付ける構成としたところである。これ以外は、第３実施形態と同等であり、同等部分を同一の図面符号で示し、詳細な説明を省略する。
つまり、第４実施形態に係る日よけ取付具７４に設けられているブラケット７５は、図２１、図２２、及び図２３（ａ）に示すように、略矩形の板状体である本体部材７６を備えており、この本体部材７６の正面の下部に、図２に示す角シャフト６（特許請求の範囲に記載の本体部材）を保持するための一対の上側及び下側の保持部材７７、７７を設けてある。この上側及び下側の各保持部材７７は、略矩形の板状体であり、角シャフト６の太さに応じた所定の間隔を隔てて平行する状態で本体部材７６に設けられ、それぞれの先端部にボルト７８の挿通孔を設けてある。この上側保持部材７７と下側保持部材７７の間に角シャフト６を挟み込んだ状態で挿通孔にボルト７８を通して、この上側及び下側保持部材７７、７７を互いに接近させる方向に締め付けることにより、上側及び下側保持部材７７の間に角シャフト６を締め付け固定することができる。
【００４５】
第１の摺動部４４は、図２２に示すように、第３実施形態のものと同等であり、本体部材７６の上縁に沿って形成されており、第３実施形態と同様に、第１の案内部４５に係合して第１の案内部４５から離れる方向の移動が係止されている。そして、この状態で第１の案内部４５に沿って摺動自在である。
第２の摺動部４６は、図２２に示すように、第３実施形態のものと同等であり、本体部材７６の下縁に沿って形成されており、第３実施形態と同様に、第２の案内部４７に係合して第２の案内部４７から離れる方向の移動が係止されている。そして、この状態で第２の案内部４７に沿って摺動自在である。
上記のように構成されたブラケット７５は、第１及び第２の各摺動部４４、４６をそれぞれと対応する第１及び第２の各案内部４５、４７に係合させることにより、第１及び第２の案内部４５、４７に沿って摺動させて移動させることができる。そして、一対の各ブラケット７５を所望の位置に位置決めしたときは、このブラケット７５の上側部及び下側部に設けられている各ねじ孔にボルト７９、・・・を螺合させて締め付けることにより、一対の各ブラケット７５を第１及び第２の枠体６４、６５の所望の箇所に固定することができる。
なお、図２２に示すＬ型金具８０は、図２に示す雨ケース１２を支持するためのものである。
【００４６】
図２１は、第４実施形態の日よけ取付具７４の正面図であり、第３実施形態の日よけ取付具６３の正面図を示す図１６と対応している。図２２は、第４実施形態の日よけ取付具７４の側面図であり、第３実施形態の日よけ取付具６３の側面図を示す図１７と対応している。図２３は、第４実施形態のブラケット７５及び補強体７１の正面図であり、第３実施形態のブラケット取付部７０及び補強体７１の正面図を示す図１８と対応している。図２４は、第４実施形態の第１の係止体７２ａを示す図であり、第３実施形態の第１の係止体７２ａを示す図１９と対応している。図２５は、第４実施形態の第２の係止体７３ａを示す図であり、第３実施形態の第２の係止体７３ａを示す図２０と対応している。
【００４７】
上記のように構成された第４実施形態に係る日よけ取付具７４によると、第３実施形態に係る日よけ取付具６３と同様に作用して、日よけ装置１を取付壁面８の所望の箇所に取り付けることができるので、それらの詳細な説明を省略する。そして、ブラケット７５をブラケット取付部７０を介さずに、直接に第１及び第２の枠体６４、６５に取り付ける構成であるので、ブラケット取付部７０が不要であり、ブラケット取付部７０の分だけ費用の低減を図ることができる。
そして、ブラケット７５に設けられている第１及び第２の摺動部４４、４６は、第１及び第２の案内部４５、４７に係合した状態でこれらから離れる方向の移動が係止されているので、ブラケット７５を第１及び第２の枠体６４、６５に取り付けるための溶接等の作業が不要である。そして、第１及び第２の摺動部４４、４６は、第１及び第２の枠体６４、６５の長さ方向に沿って摺動自在であるので、ブラケット７５を、日よけ装置１を支持するための適切な取付位置に移動させて簡単に位置決めすることができる。従って、日よけ装置１を取り付けるための高所で不安定な場所での作業を比較的容易に行うことができる。
【００４８】
ただし、第１実施形態では、図１及び図２に示すように、日よけ取付具１５を使用して鉛直面の取付壁面８に日よけ装置１を取り付けたが、図８に示す吊り下げ枠体８１又は図９に示す固定アーム８２と、日よけ取付具１５と、を使用して日よけ装置１を天井８３に取り付けることができる。勿論、第２乃至第４実施形態に係る日よけ取付具３７、６３、７４と、図８に示す吊り下げ枠体８１又は図９に示す固定アーム８２と、を使用して、日よけ装置１を天井８３に取り付けることができる。
図８に示す吊り下げ枠体８１は、略直方体の輪郭形状の枠体であり、断面形状がＬ字形の直線部材を使用して形成してある。この吊り下げ枠体８１は、上面側の部材をアンカーボルトにより天井８３に固定することにより取り付けてあり、正面側の部材に日よけ取付具１５を鉛直方向に平行する状態で取り付けてある。図には示さないが、この日よけ取付具１５の正面に日よけ装置１を取り付ける。
図９に示す固定アーム８２は、天井面８３に対して約４５°の傾斜角度をなす状態で配置されており、上端部がリンク８４を介して天井８３に固定して取り付けられている。そして、固定アーム８２の下端部がリンク８５を介して日よけ取付具１５の下端部（第２の枠体２１）と連結している。日よけ取付具１５の上端部（第１の枠体２０）は、アンカーボルト８６により天井８３に固定して取り付けてある。
【００４９】
そして、上記第１乃至第４の各実施形態に係る日よけ取付具１５、３７、６３、７４は、日よけシート２を巻き取りシャフト３で巻き取ることができる日よけ装置１を取付壁面８に取り付ける例を挙げて示したが、日よけシート２を広げた状態で常時使用する日よけ装置（図示せず）を取付壁面８に取り付けることもできる。
【００５０】
【発明の効果】
第１の発明によると、日よけ装置を壁又は天井等の所望の取付箇所に取り付けようとするとき、日よけ装置を支持するためのブラケットを取り付けるための、壁等に設けられている柱、又は桟等の支持部材がそのブラケットと対応する位置に設けられていない場合でも、第１の発明に係る日よけ取付具を使用することにより、日よけ装置を所望の取付箇所に取り付けることができる。
つまり、日よけ取付具を介して日よけ装置を所望の取付箇所に取り付けるときは、まず、ブラケット取付部にブラケットを取り付ける。次に、日よけ装置を支持するためのブラケットの適切な取付位置に合わせてブラケット取付部を第１及び第２の枠体のその取付位置に対応する箇所に取り付ける。そして、この日よけ取付具の第１及び第２の枠体を壁等に設けられている支持部材に取り付ける。そして、ブラケット取付部に取り付けられているブラケットに日よけ装置を取り付けることにより、日よけ装置を所望の取付箇所に取り付けることができる。なお、ブラケットは、日よけ装置を確実に支持するための適切な位置でこの日よけ装置を支持させる必要がある。
【００５１】
第２の発明によると、ブラケット取付部に設けられている第１及び第２の摺動部は、それぞれと対応する第１及び第２の案内部に係合させることにより、各案内部から離れる方向の移動が係止されるので、ブラケット取付部を第１及び第２の枠体に取り付けるための溶接等の作業が不要である。そして、第１及び第２の摺動部は、第１及び第２の枠体の長さ方向に沿って摺動自在であるので、日よけ装置を支持するためのブラケットの適切な取付位置に合わせてブラケット取付部を第１及び第２の枠体のその取付位置に移動させて簡単に位置決めすることができる。従って、この日よけ取付具を、日よけ装置を取り付けようとする現場で比較的容易に組み立てることができ、これにより、日よけ装置を比較的容易に所望の取付箇所に取り付けることができる。
【００５２】
第３の発明によると、補強体に設けられている第３及び第４の摺動部は、第３及び第４の案内部から離れる方向の移動が係止されているので、補強体を第１及び第２の枠体に取り付けるための溶接等の作業が不要である。そして、第３及び第４の摺動部は、第１及び第２の枠体の長さ方向に沿って摺動自在であるので、この補強体を固定するための壁等に設けられている柱、又は桟等の支持部材の位置に合わせて補強体を第１及び第２の枠体に沿って移動させて簡単に位置決めすることができる。従って、この日よけ取付具を、日よけ装置を取り付けようとする現場で比較的容易に組み立てることができ、これにより、日よけ装置を比較的容易に所望の取付箇所に取り付けることができる。
【００５３】
第４の発明によると、断面形状が略矩形の第１の枠体の第１の面（例えば正面）と第２の面（例えば下面）に第１と第３の案内部を設け、断面形状が略矩形の第２の枠体の第１の面（例えば正面）と第２の面（例えば上面）に第２と第４の案内部を設けているので、第１及び第２の各枠体の構造が簡単であり、ブラケット取付部及び補強体との比較的高い連結強度を得ることができる。つまり、第１及び第２の各枠体には、第１乃至第４の案内部を形成するための溝を設ければよく、ブラケット取付部又は補強体の第１乃至第４の摺動部以外の部分を通過させるための湾曲部又は溝を形成する必要がないから、簡単な構造、及び比較的高い剛性を得ることができる。
【００５４】
第５の発明によると、ブラケットをブラケット取付部を介さずに、直接に第１及び第２の枠体に取り付ける構成であるので、ブラケット取付部が不要であり、ブラケット取付部の分だけ費用の低減を図ることができる。
そして、ブラケットに設けられている第１及び第２の摺動部は、第１及び第２の案内部に係合した状態で、これらから離れる方向の移動が係止されているので、ブラケットを第１及び第２の枠体に取り付けるための溶接等の作業が不要である。そして、第１及び第２の摺動部は、第１及び第２の枠体の長さ方向に沿って摺動自在であるので、ブラケットを、日よけ装置を支持するための適切な取付位置に移動させて簡単に位置決めすることができる。従って、日よけ装置を取り付けるための高所で不安定な場所での作業を比較的容易に行うことができる。
【００５５】
第６の発明によると、第１及び第２の枠体を固定しようとする取付箇所に設けられている支持部材の取付面が比較的狭いために、第１及び第２の枠体を取付面に強固に取り付けることができない場合に、取付面に対して略垂直な側面に設けた係止体により、第１の枠体又は第２の枠体が取付面から離れる方向の移動を係止することができ、これにより、第１の枠体又は第２の枠体の取付面に対する取り付け強度の増強を図ることができる。
【図面の簡単な説明】
【図１】この発明の第１実施形態に係る日よけ取付具を使用して日よけ装置を取付壁面に取り付けている状態を示す斜視図である。
【図２】同第１実施形態に係る日よけ取付具及び日よけ装置を示す側面図である。
【図３】同第１実施形態に係る日よけ取付具を示す図であり、（ａ）は正面図、（ｂ）は側面図である。
【図４】同第１実施形態の第１の係止体の使用状態を示す平面図である。
【図５】同第１実施形態の第１の係止体の使用状態を示す正面図である。
【図６】同第１実施形態の第２の係止体の使用状態を示す平面図である。
【図７】同第１実施形態の第２の係止体の使用状態を示す正面図である。
【図８】同第１実施形態に係る日よけ取付具を吊り下げ枠体を使用して天井に取り付けている状態を示す側面図である。
【図９】同第１実施形態に係る日よけ取付具を固定アームを使用して天井に取り付けている状態を示す側面図である。
【図１０】同発明の第２実施形態に係る日よけ取付具の正面図である。
【図１１】同第２実施形態に係る日よけ取付具の側面図である。
【図１２】（ａ）は同第２実施形態のブラケット取付部の正面図、（ｂ）は同第２実施形態の補強体の正面図である。
【図１３】同第２実施形態の第１の係止体を示す図であり、（ａ）は、第１の係止体の背面図、（ｂ）は、第１の係止体の平面図、（ｃ）は、第１の係止体を第１の枠体の端部に係合させた状態を示す平面図である。
【図１４】同第２実施形態の第１の係止体を第１及び第２の各枠体の端部に係合させた状態を示す正面図である。
【図１５】同第２実施形態の第２の係止体を示す図であり、（ａ）は、第２の係止体を第１の枠体の端部に係合させた状態を示す平面図、（ｂ）は、第２の係止体の平面図、（ｃ）は、第２の係止体の背面図である。
【図１６】同発明の第３実施形態に係る日よけ取付具の正面図である。
【図１７】同第３実施形態に係る日よけ取付具の側面図である。
【図１８】（ａ）は同第３実施形態のブラケット取付部の正面図、（ｂ）は同第３実施形態の補強体の正面図である。
【図１９】同第３実施形態の第１の係止体を示す図であり、（ａ）は、第１の係止体の背面図、（ｂ）は、第１の係止体の平面図、（ｃ）は、第１の係止体を第１の枠体の端部に係合させた状態を示す平面図である。
【図２０】同第３実施形態の第２の係止体を示す図であり、（ａ）は、第２の係止体を第１の枠体の端部に係合させた状態を示す平面図、（ｂ）は、第２の係止体の平面図、（ｃ）は、第２の係止体の背面図である。
【図２１】同発明の第４実施形態に係る日よけ取付具の正面図である。
【図２２】同第４実施形態に係る日よけ取付具の側面図である。
【図２３】（ａ）は同第４実施形態のブラケットの正面図、（ｂ）は同第４実施形態の補強体の正面図である。
【図２４】同第４実施形態の第１の係止体を示す図であり、（ａ）は、第１の係止体の背面図、（ｂ）は、第１の係止体の平面図、（ｃ）は、第１の係止体を第１の枠体の端部に係合させた状態を示す平面図である。
【図２５】同第４実施形態の第２の係止体を示す図であり、（ａ）は、第２の係止体を第１の枠体の端部に係合させた状態を示す平面図、（ｂ）は、第２の係止体の平面図、（ｃ）は、第２の係止体の背面図である。
【図２６】従来のブラケットを取付壁面に直接に取り付けることにより日よけ装置を設置した状態を示す側面図である。
【符号の説明】
１  日よけ装置
２  日よけシート
８  取付壁面
１４  支持部材
１５  日よけ取付具
１６  左側壁面
１８  右側壁面
２０  第１の枠体
２１  第２の枠体
２２  ブラケット取付部
２３  補強体
２５  第１の係止体
２６  第２の係止体
３２  第１の係合部
３５  第２の係合部
【図１】
0004695253.tif 000002
【図２】
0004695253.tif 000003
【図３】
0004695253.tif 000004
【図４】
0004695253.tif 000005
【図５】
0004695253.tif 000006
【図６】
0004695253.tif 000007
【図７】
0004695253.tif 000008
【図８】
0004695253.tif 000009
【図９】
0004695253.tif 000010
【図１０】
0004695253.tif 000011
【図１１】
0004695253.tif 000012
【図１２】
0004695253.tif 000013
【図１３】
0004695253.tif 000014
【図１４】
0004695253.tif 000015
【図１５】
0004695253.tif 000016
【図１６】
0004695253.tif 000017
【図１７】
0004695253.tif 000018
【図１８】
0004695253.tif 000019
【図１９】
0004695253.tif 000020
【図２０】
0004695253.tif 000021
【図２１】
0004695253.tif 000022
【図２２】
0004695253.tif 000023
【図２３】
0004695253.tif 000024
【図２４】
0004695253.tif 000025
【図２５】
0004695253.tif 000026
【図２６】
0004695253.tif 000027